(57)【要約】      （修正有）【課題】コンテンツ制御時におけるユーザの満足度を改善する。【解決手段】タブレット端末１でコンテンツの再生を指示した際、タブレット端末１に連続性のある動画像を表示し、指示したコンテンツの再生可否判断結果に応じてテレビ受像機７で表示する動画像の表示形態を変えることにより、ユーザがそのコンテンツが再生可能か否かを知ることができる。【選択図】図１
2014140104.tif 000002
【特許請求の範囲】
【請求項１】
リモート端末及び受信装置を備え、コンテンツに対する前記リモート端末での入力情報を通信ネットワークを用いて前記受信装置に命令実行させる遠隔制御システムであって、
前記リモート端末は、
前記入力情報に基づいた第１の動画像を表示する第１の表示制御手段を有し、
前記受信装置は、
前記入力情報に基づいた命令実行結果を示す第２の動画像を表示する第２の表示制御手段を有し、
前記第１の動画像及び前記第２の動画像は、連続性のある動きを示す動画像であることを特徴とする遠隔制御システム。
【請求項２】
前記第２の動画像は、
前記第１の動画像が表示された後に表示されることを特徴とする請求項１記載の遠隔制御システム。
【請求項３】
前記第１の表示制御手段又は第２の表示制御手段は、
前記コンテンツの遠隔制御の可否に応じて動きの異なる前記動画像を表示することを特徴とする請求項１又は２記載の遠隔制御システム。
【請求項４】
前記受信装置は、前記コンテンツの遠隔制御の可否を判定する判定手段を更に有し、
前記第２の表示制御手段は、
当該遠隔制御の可否判定結果に応じた動きの前記動画像を表示することを特徴とする請求項３記載の遠隔制御システム。
【請求項５】
前記リモート端末と前記受信装置間の通信上に、前記コンテンツの遠隔制御の可否を判定するサーバを更に有し、
前記第２の表示制御手段は、
当該遠隔制御の可否判定結果に応じた動きの前記動画像を表示することを特徴とする請求項３記載の遠隔制御システム。
【請求項６】
前記第１の表示制御手段又は前記第２の表示制御手段は、
前記コンテンツを遠隔制御する命令種別に応じた前記動画像を表示することを特徴とする請求項１乃至５のいずれかに記載の遠隔制御システム。
【請求項７】
前記リモート端末は、当該リモート端末側における前記動画像の動きを定義した動作情報を記憶しておく記憶手段を更に有し、
前記第１の表示制御手段は、
入力されたコンテンツの遠隔制御の命令種別に応じた動作情報を当該記憶手段から読み出して、当該動作情報で定義された動きの前記動画像を表示することを特徴とする請求項６記載の遠隔制御システム。
【請求項８】
前記受信装置は、当該受信装置側における前記動画像の動きを定義した動作情報を記憶しておく記憶手段を更に有し、
前記第２の表示制御手段は、
前記リモート端末で入力されたコンテンツの遠隔制御の命令種別に応じた動作情報を当該記憶手段から読み出して、当該動作情報で定義された動きの前記動画像を表示することを特徴とする請求項６又は７記載の遠隔制御システム。
【請求項９】
前記リモート端末と前記受信装置間の通信上に、前記受信装置側における前記動画像の動きを定義した動作情報を記憶し送信するサーバを更に有し、
前記第２の表示制御手段は、
前記リモート端末で入力されたコンテンツの遠隔制御の命令種別に応じた動作情報を当該サーバから受信して、当該動作情報で定義された動きの前記動画像を表示することを特徴とする請求項６又は７記載の遠隔制御システム。
【請求項１０】
前記動画像は、
前記リモート端末での入力により選択されたコンテンツ情報に対応していることを特徴とする請求項１乃至９のいずれかに記載の遠隔制御システム。
【請求項１１】
リモート端末及び受信装置を備え、コンテンツに対する前記リモート端末での入力情報を通信ネットワークを用いて前記受信装置に命令実行させる遠隔制御方法であって、
前記リモート端末は、
前記入力情報に基づいた第１の動画像を表示するステップを有し、
前記受信装置は、
前記入力情報に基づいた命令実行結果を示す第２の動画像を表示するステップを有し、
前記第１の動画像及び前記第２の動画像は、連続性のある動きを示すことを特徴とする遠隔制御方法。
【請求項１２】
リモート端末及び受信装置を備え、コンテンツに対する前記リモート端末での入力情報を通信ネットワークを用いて前記受信装置に命令実行させる遠隔制御プログラムであって、
前記リモート端末に、
前記入力情報に基づいた第１の動画像を表示する処理を実行させ、
前記受信装置に、
前記入力情報に基づいた命令実行結果を示す第２の動画像を表示する処理を実行させ、
前記第１の動画像及び前記第２の動画像は、連続性のある動きを示すことを特徴とする遠隔制御プログラム。
【請求項１３】
入力された入力情報を通信ネットワークを用いて受信装置に命令実行させるリモート端末であって、
前記入力情報に基づいた動画像を表示する手段を有し、
前記動画像は、前記受信装置で表示される動画像と連続性のある動きを示すことを特徴とするリモート端末。
【請求項１４】
リモート端末で入力された入力情報を通信ネットワークを用いて受信し命令実行する受信装置であって、
前記入力情報に基づいた命令実行結果を示す動画像を表示する手段を有し、
前記動画像は、前記リモート端末で表示される動画像と連続性のある動きを示すことを特徴とする受信装置。
【発明の詳細な説明】
【技術分野】
【０００１】
本発明は、コンテンツを遠隔制御する技術に関する。
【背景技術】
【０００２】
光ネットワークを用いたブロードバンド通信の普及により、ビデオ・オン・デマンド型の映像やテレビ番組の視聴をＩＰネットワーク経由で実現することができる。
【０００３】
このようなＩＰ放送サービスにおいてコンテンツを視聴したい場合、ＩＰネットワークを介してタブレット端末からセットトップボックスにコンテンツ再生の制御命令を送信することにより、そのセットセットボックスに接続されたテレビ受像機でコンテンツを視聴することができる（非特許文献１、２）。
【先行技術文献】
【非特許文献】
【０００４】
【非特許文献１】“Android/Androidをリモコンとして使う（2012.02.03）”、@DIME、[online]、[平成24年11月29日検索]、＜URL : http://dime.jp/manual/264/＞
【非特許文献２】“複数のリモコン操作をひとつの携帯電話で  jigマルチリモコン”、[online]、[平成24年11月29日検索]、＜URL : http://remocon.jig.jp/＞
【発明の概要】
【発明が解決しようとする課題】
【０００５】
しかしながら、従来のタブレット端末の画面には、テレビ受像機に付属するリモコン端末の操作ボタンを単に模した同様のボタン画面が表示されているにすぎないため、タブレット端末の操作に対するユーザの満足度は低いという問題があった。
【０００６】
本発明は、上記事情を鑑みてなされたものであり、コンテンツ制御時におけるユーザの満足度を改善することを目的とする。
【課題を解決するための手段】
【０００７】
請求項１記載の遠隔制御システムは、リモート端末及び受信装置を備え、コンテンツに対する前記リモート端末での入力情報を通信ネットワークを用いて前記受信装置に命令実行させる遠隔制御システムであって、前記リモート端末は、前記入力情報に基づいた第１の動画像を表示する第１の表示制御手段を有し、前記受信装置は、前記入力情報に基づいた命令実行結果を示す第２の動画像を表示する第２の表示制御手段を有し、前記第１の動画像及び前記第２の動画像は、連続性のある動きを示す動画像であることを要旨とする。
【０００８】
本発明によれば、リモート端末及び受信装置が、連続性のある動画像を表示するため、コンテンツ制御時におけるユーザの満足度を向上することができる。
【０００９】
請求項２記載の遠隔制御システムは、請求項１記載の遠隔制御システムにおいて、前記第２の動画像は、前記第１の動画像が表示された後に表示されることを要旨とする。
【００１０】
請求項３記載の遠隔制御システムは、請求項１又は２記載の遠隔制御システムにおいて、前記第１の表示制御手段又は第２の表示制御手段は、前記コンテンツの遠隔制御の可否に応じて動きの異なる前記動画像を表示することを要旨とする。
【００１１】
請求項４記載の遠隔制御システムは、請求項３記載の遠隔制御システムにおいて、前記受信装置は、前記コンテンツの遠隔制御の可否を判定する判定手段を更に有し、前記第２の表示制御手段は、当該遠隔制御の可否判定結果に応じた動きの前記動画像を表示することを要旨とする。
【００１２】
請求項５記載の遠隔制御システムは、請求項３記載の遠隔制御システムにおいて、前記リモート端末と前記受信装置間の通信上に、前記コンテンツの遠隔制御の可否を判定するサーバを更に有し、前記第２の表示制御手段は、当該遠隔制御の可否判定結果に応じた動きの前記動画像を表示することを要旨とする。
【００１３】
請求項６記載の遠隔制御システムは、請求項１乃至５のいずれかに記載の遠隔制御システムにおいて、前記第１の表示制御手段又は前記第２の表示制御手段は、前記コンテンツを遠隔制御する命令種別に応じた前記動画像を表示することを要旨とする。
【００１４】
請求項７記載の遠隔制御システムは、請求項６記載の遠隔制御システムにおいて、前記リモート端末は、当該リモート端末側における前記動画像の動きを定義した動作情報を記憶しておく記憶手段を更に有し、前記第１の表示制御手段は、入力されたコンテンツの遠隔制御の命令種別に応じた動作情報を当該記憶手段から読み出して、当該動作情報で定義された動きの前記動画像を表示することを要旨とする。
【００１５】
請求項８記載の遠隔制御システムは、請求項６又は７記載の遠隔制御システムにおいて、前記受信装置は、当該受信装置側における前記動画像の動きを定義した動作情報を記憶しておく記憶手段を更に有し、前記第２の表示制御手段は、前記リモート端末で入力されたコンテンツの遠隔制御の命令種別に応じた動作情報を当該記憶手段から読み出して、当該動作情報で定義された動きの前記動画像を表示することを要旨とする。
【００１６】
請求項９記載の遠隔制御システムは、請求項６又は７記載の遠隔制御システムにおいて、前記リモート端末と前記受信装置間の通信上に、前記受信装置側における前記動画像の動きを定義した動作情報を記憶し送信するサーバを更に有し、前記第２の表示制御手段は、前記リモート端末で入力されたコンテンツの遠隔制御の命令種別に応じた動作情報を当該サーバから受信して、当該動作情報で定義された動きの前記動画像を表示することを要旨とする。
【００１７】
請求項１０記載の遠隔制御システムは、請求項１乃至９のいずれかに記載の遠隔制御システムにおいて、前記動画像は、前記リモート端末での入力により選択されたコンテンツ情報に対応していることを要旨とする。
【００１８】
請求項１１記載の遠隔制御方法は、リモート端末及び受信装置を備え、コンテンツに対する前記リモート端末での入力情報を通信ネットワークを用いて前記受信装置に命令実行させる遠隔制御方法であって、前記リモート端末は、前記入力情報に基づいた第１の動画像を表示するステップを有し、前記受信装置は、前記入力情報に基づいた命令実行結果を示す第２の動画像を表示するステップを有し、前記第１の動画像及び前記第２の動画像は、連続性のある動きを示すことを要旨とする。
【００１９】
請求項１２記載の遠隔制御プログラムは、リモート端末及び受信装置を備え、コンテンツに対する前記リモート端末での入力情報を通信ネットワークを用いて前記受信装置に命令実行させる遠隔制御プログラムであって、前記リモート端末に、前記入力情報に基づいた第１の動画像を表示する処理を実行させ、前記受信装置に、前記入力情報に基づいた命令実行結果を示す第２の動画像を表示する処理を実行させ、前記第１の動画像及び前記第２の動画像は、連続性のある動きを示すことを要旨とする。
【００２０】
請求項１３記載のリモート端末は、入力された入力情報を通信ネットワークを用いて受信装置に命令実行させるリモート端末であって、前記入力情報に基づいた動画像を表示する手段を有し、前記動画像は、前記受信装置で表示される動画像と連続性のある動きを示すことを要旨とする。
【００２１】
請求項１４記載の受信装置は、リモート端末で入力された入力情報を通信ネットワークを用いて受信し命令実行する受信装置であって、前記入力情報に基づいた命令実行結果を示す動画像を表示する手段を有し、前記動画像は、前記リモート端末で表示される動画像と連続した動きを示すことを要旨とする。
【発明の効果】
【００２２】
本発明によれば、コンテンツ制御時におけるユーザの満足度を向上することができる。
【図面の簡単な説明】
【００２３】
【図１】第１の実施の形態に係る遠隔制御システムの全体構成及び各構成装置の機能部を示す図である。
【図２】遠隔制御システムの全体処理動作（番組の視聴が成功した場合）を示す図である。
【図３】タブレット端末及びテレビ受像機での画面遷移例（番組の視聴が成功した場合）を示す図である。
【図４】動作情報（タブレット端末側）の例を示す図である。
【図５】番組情報の例を示す図である。
【図６】契約ユーザ情報の例を示す図である。
【図７】動作情報（テレビ受像機側）の例を示す図である。
【図８】遠隔制御システムの全体処理動作（番組の視聴が失敗した場合）を示す図である。
【図９】タブレット端末及びテレビ受像機での画面遷移例（番組の視聴が失敗した場合）を示す図である。
【図１０】第２の実施の形態に係るタブレット端末の機能部を示す図である。
【図１１】タブレット端末の処理動作（番組の視聴が失敗した場合）を示す図である。
【図１２】タブレット端末での画面遷移例（番組の視聴が失敗した場合）を示す図である。
【発明を実施するための形態】
【００２４】
以下、本発明を実施する一実施の形態について図面を用いて説明する。但し、本発明は多くの異なる様態で実施することが可能であり、本実施の形態の記載内容に限定して解釈すべきではない。
【００２５】
〔第１の実施の形態〕
図１は、第１の実施の形態に係る遠隔制御システムの全体構成及び各構成装置の機能部を示す図である。この遠隔制御システムは、所望のコンテンツを選択するためのタブレット端末１と、選択されたコンテンツを配信するサーバ５と、配信されたコンテンツをテレビ受像機７で再生等するセットトップボックス３とで主に構成される。
【００２６】
例えば、セットトップボックス３とそれに直接接続されたテレビ受像機７は、ユーザの宅内に設置されている。ユーザは、同一宅内において、所持するタブレット端末１を用いてセットトップボックス３を遠隔操作することにより、サーバ５から配信されるコンテンツをテレビ受像機７で視聴する態様が考えられる。以下、各構成装置の機能について説明する。
【００２７】
タブレット端末１は、各種データを送受信するデータ送受信部１１と、サーバ５から受信したコンテンツ情報を自機の画面に表示するコンテンツ情報表示制御部１２と、ユーザにより選択されたコンテンツ情報に係る表示状態を制御するユーザ要求処理部１３と、ユーザの視線をテレビ受像機７に誘導するように上記選択されたコンテンツ情報をアニメーション表示するアニメーション表示制御部１４と、タブレット端末側でのアニメーション表示の動作方法を定義した動作情報を記憶しておく動作情報記憶部１５と、タブレット端末１のユーザに関するユーザ情報を記憶しておくユーザ情報記憶部１６とで構成される。
【００２８】
このようなタブレット端末１としては、例えばスマートフォンを利用して実現できる。無線／有線ＬＡＮやモバイル網等の通信ネットワーク９に対する接続インタフェースと、画面に表示された諸情報を選択可能なタッチパネル又は操作キーと、データを処理するＣＰＵとを少なくとも備えたリモート端末であれば構わない。
【００２９】
サーバ５は、各種データを送受信するデータ送受信部５１と、タブレット端末１で選択されたコンテンツの再生等が可能であるか否かを契約ユーザ情報等に基づいて判定する再生等可否判定部５２と、その判定結果に応じた処理信号を生成する処理信号生成部５３と、提供可能なコンテンツに係るコンテンツ情報を記憶しておくコンテンツ情報記憶部５４と、そのコンテンツの視聴を契約したユーザに関する契約ユーザ情報を記憶しておく契約ユーザ情報記憶部５５と、コンテンツ情報を送信するコンテンツ情報送信部５６と、選択されたコンテンツ情報に対応するコンテンツを自機内のコンテンツ記憶部（不図示）又はインターネットから取得して配信するコンテンツ配信部５７とで構成される。
【００３０】
このようなサーバ５としては、例えばクラウド環境下に配置されたコンピュータを用いて実現できる。契約ユーザ情報については、例えばＩＰ放送サービスを実現するための既存ユーザ情報を用いても構わない。コンテンツ情報については、例えばＩＰ放送サービスのうちビデオ・オン・デマンド型サービスのコンテンツに係るコンテンツ情報を用いても構わない。また、放送局から地上波やＢＳテレビ放送等の放送番組の提供を受けるためのインタフェースを更に備え、自機内のコンテンツ記憶部に追加し、又は更新するコンテンツ更新部を更に備えても構わない。
【００３１】
尚、本実施の形態に係るサーバ５は、データ送受信部５１と再生等可否判定部５２と処理信号生成部５３とが有する各機能や処理動作が本発明の技術的特徴である。コンテンツ情報記憶部５４と契約ユーザ情報記憶部５５とコンテンツ情報送信部５６とコンテンツ配信部５７とは、発明の理解を容易にするためのものであり、既存のコンテンツ配信サーバを利用しても構わない。
【００３２】
セットトップボックス３は、各種データを送受信するデータ送受信部３１と、サーバ５から送信された処理信号内の判定結果に基づいて上記選択されたコンテンツ情報をアニメーション表示するアニメーション表示制御部３２と、その判定結果に基づいてサーバ５からコンテンツを取得等するコンテンツ制御部３３と、テレビ受像機側でのアニメーション表示の動作方法を定義した動作情報を記憶しておく動作情報記憶部３４とで構成される。
【００３３】
このようなセットトップボックス３としては、例えばＤＶＤレコーダ／プレーヤーを利用して実現できる。セットトップボックス３は、一般に、ＩＰ放送を受信してＣｏｄｅｃにより映像情報としてテレビ受像機等の画面に転送する機能を備えており、映像，音楽，ゲーム等のコンテンツを通信ネットワーク９を介して受信できる受信装置であれば構わない。
【００３４】
以上、遠隔制御システムの各構成装置の機能について説明した。あえて付言しておくが、タブレット端末１とサーバ５とセットトップボックス３とは、通信ネットワーク９を介してそれぞれが相互に通信可能に接続されている。このような通信ネットワークとしては、例えば、第三世代等のモバイル通信キャリアネットワーク、ユーザ宅内に設置された無線ＬＡＮ装置による無線ＬＡＮ、セットトップボックス３と同一の光回線等が考えられる。
【００３５】
次に、図２及び図３を参照しながら、放送中及び放送予定の番組をコンテンツの例に用いて、遠隔制御システムの動作を説明する。図２は、番組の視聴が成功した場合における遠隔制御システムの全体処理動作を示す図である。図３は、その場合におけるタブレット端末１及びテレビ受像機７での画面遷移例を示す図である。
【００３６】
最初に、タブレット端末１において、サーバ５で提供される番組情報を受信すると、コンテンツ情報表示制御部１２は、その番組情報のサムネイルを画面に表示する（ステップＳ１０１）。例えば、図３（ａ）に示すように、番組情報に関する文字や絵を表示したサムネイルを番組名に関連付けて、その一覧を番組ガイダンスとしてタブレット端末１の画面部１７に表示する。
【００３７】
ここでユーザが、その番組ガイダンスを操作して今視聴したい番組（その他、録画、録画予約、早送り、巻き戻し等したい番組等の場合も可）を検索し、該当する番組のサムネイルが画面部１７内に表示されたら、そのサムネイルをタップ操作により選択したとする。尚、「タップ操作」＝「番組の再生」とする。
【００３８】
いずれかのサムネイルが選択された場合、ユーザ要求処理部１３は、その選択された再生対象番組のサムネイルをタブレット端末１の画面上に拡大表示する（ステップＳ１０２）。例えば、図３（ｂ）に示すように、これまで一覧化のために小さく表示されていたサムネイルを画面全体にまで拡大する。これにより、ユーザに対して所望の選択を行ったかを一目で確認させることができる。
【００３９】
次に、アニメーション表示制御部１４は、動作情報記憶部１５から動作情報を読み出して、その動作情報で定義されたアニメーション表示の動作方法に基づき、拡大表示されたサムネイルを動的表示する（ステップＳ１０３）。
【００４０】
この動作情報（タブレット端末側の動作情報）及び後述するテレビ受像機側の動作情報には、タブレット端末１を操作しているユーザの視線をテレビ受像機７に移動させ、タブレット端末１とセットトップボックス３及びテレビ受像機７との間の連携を促す連続性のある動画像を動的表示することが定義されている。
【００４１】
例えば、図４に示すように、番組制御命令種別が「再生」の場合、「サムネイルを一旦縮小して画面下端に移動表示した後、画面上端に向けて移動表示する。」動作が定義されている。尚、この動作内容は、番組制御命令種別に応じて異なるようにしても同一であっても構わない。
【００４２】
本動作例では「再生」を例としているので、それに対応する動作情報を用いて、図３（ｃ）に示すように、拡大表示されたサムネイルを漸次縮小表示しながら手前のユーザ側に近づけて、縮小後のサムネイルをタブレット端末１が向けられたテレビ受像機７に向かって飛んでいくように表示する。言い換えれば、サムネイルをパチンコ玉に例えて手元側に引っ張り、向こう側に飛ばすようなアニメーション表示である。
【００４３】
尚、ステップＳ１０３のアニメーション表示と同時に、タブレット端末１は、選択された再生対象番組情報と、ユーザ情報記憶部１６から読み出したタブレット端末１のユーザ情報と、「再生」を示す番組制御命令種別情報とを通信ネットワーク９を介してサーバ５に送信し、選択された再生対象番組が当該ユーザに対して提供可能であるか否かを問い合わせる。この問い合せ処理は、タブレット端末１のタップ操作に基づいて行われるバックグラウンド処理である。
【００４４】
次に、サーバ５において、再生等可否判定部５２は、コンテンツ情報記憶部５４から番組情報を読み出し、更に契約ユーザ情報記憶部５５から契約ユーザ情報を読み出して、受信した再生対象番組情報及びユーザ情報とそれら読み出した番組情報及び契約ユーザ情報とを照会することにより、選択された再生対象番組の提供の可否を判定する（ステップＳ１０４）。
【００４５】
例えば、番組情報には、図５に示すように、各番組のＩＤに対応付けて、その番組のタイトル、番組区分、番組データの保存ＵＲＬ、視聴可能契約プラン、視聴可能年齢等が記録されている。契約ユーザ情報には、図６に示すように、各ユーザのＩＤに対応付けて、ユーザの氏名、ユーザの年齢、契約した契約プラン等が記録されている。
【００４６】
上記ステップＳ１０４では、再生対象番組情報の視聴可能年齢とユーザ年齢とを比較したり、再生対象番組情報の視聴可能契約プランとユーザの契約プランとを比較することにより、上記提供の可否を判定する。
【００４７】
次に、選択された再生対象番組の提供が可と判定された場合、処理信号生成部５３は、提供が「可」である判定結果と、選択された再生対象番組情報と、「再生」を示す番組制御命令種別情報とを含む開始可能処理信号を生成し、通信ネットワーク９を介してセットトップボックス３に送信する（ステップＳ１０５）。
【００４８】
次に、セットトップボックス３において、サーバ５から開始可能処理信号を受信すると、アニメーション表示制御部３２は、ステップＳ１０３と同様に、動作情報記憶部３４から動作情報を読み出して、その動作情報の「提供可」欄で定義されたアニメーション表示の動作方法に基づき、選択された再生対象番組情報のサムネイルを動的表示する（ステップＳ１０６）。
【００４９】
このテレビ受像機側の動作情報には、例えば、図７に示すように、番組制御命令種別が「再生」であり、選択された再生対象番組の提供が「可」の場合、「サムネイルを画面下端から画面中央付近まで移動表示した後に、画面全体に拡大表示する。」動作が定義されている。尚、この動作内容は、番組制御命令種別や提供の可否に応じて異なるようにしても同一であっても構わない。
【００５０】
本動作例では「再生」を例としているので、それに対応する動作情報を用いて、図３（ｄ），（ｅ）に示すように、タブレット端末１で表示されていたサムネイルの動きに追従するように、同じ縮小サイズのサムネイルをタブレット端末１から飛んできたようにテレビ受像機７の画面部７１の中央まで移動表示し、その画面部７１の画面サイズ付近まで漸次拡大表示する。
【００５１】
ステップＳ１０３及びステップＳ１０６により、タブレット端末１への入力に応じてタブレット端末１からテレビ受像機７にユーザの視線移動を促し、タブレット端末１とセットトップボックス３及びテレビ受像機７との間の連携を促す一連のアニメーションが表示されるため、ユーザによる番組選択の操作に対する装置側での受付を分かりやすく伝えることができる。
【００５２】
その際、ユーザに対して再生可能であることをより明確に伝えるため、必要に応じて、選択された再生対象番組の再生を開始する旨の文字テロップを表示したり、その旨を音声出力しても構わない。
【００５３】
最後に、コンテンツ制御部３３は、選択された再生対象番組のデータをサーバ５から取得し、番組制御命令種別情報で示された「再生」に基づいて当該再生対象番組をテレビ受像機７の画面上でストリーム再生又はダウンロード再生する（ステップＳ１０７）。
【００５４】
以上の処理を通じて、番組再生操作時におけるユーザの満足度を向上することができる。ＩＰ放送サービスにおいて、オンデマンドで番組を提供する場合にどうしても必須となる番組提供までの一定の待ち時間を、ある種ゲーム感覚で過ごしてもらうことにより、ユーザの苛立ちを少しでも抑制することができる。
【００５５】
続いて、図８及び図９を参照しながら、タブレット端末１からの番組視聴や録画予約が失敗した場合の動作を説明する。図８は、番組の視聴が失敗した場合における遠隔制御システムの全体処理動作を示す図である。図９は、その場合におけるタブレット端末１及びテレビ受像機７での画面遷移例を示す図である。
【００５６】
図８に示すステップＳ２０１〜ステップＳ２０４の各処理は、ステップＳ１０１〜ステップＳ１０４の各処理と同様であるため、その説明は省略する。
【００５７】
ステップＳ２０４での判定の結果、このユーザに対して何かしらの理由で選択された再生対象番組の提供ができないことが判明する。ここで提供できない理由とは、例えば、年齢による視聴制限に該当することや、別番組の録画中であること、選択された再生対象番組又は当該番組を放送するチャンネルと未契約であること等が考えられえる。
【００５８】
このような場合、サーバ５の処理信号生成部５３は、提供が「不可」である判定結果及びその理由と、選択された再生対象番組情報と、「再生」を示す番組制御命令種別情報とを含む開始不可処理信号を生成し、通信ネットワーク９を介してセットトップボックス３に送信する（ステップＳ２０５）。
【００５９】
その後、セットトップボックス３において、サーバ５から開始不可処理信号を受信すると、アニメーション表示制御部３２は、ステップＳ１０６と同様に、動作情報記憶部３４から動作情報を読み出して、その動作情報の「提供不可」欄で定義されたアニメーション表示の動作方法に基づき、選択された再生対象番組情報のサムネイルを動的表示する（ステップＳ２０６）。
【００６０】
例えば、図７に示したように、番組制御命令種別が「再生」であり、選択された再生対象番組の提供が「不可」の場合、「サムネイルを画面下端から壁に向けて移動表示した後に、壁に当たってはねかえされてつぶれたように表示する。」動作が定義されている。
【００６１】
本動作例では「再生」を例としているので、図９（ｄ），（ｅ）に示すように、タブレット端末１で表示されていたサムネイルの動きに追従するように、同じ縮小サイズのサムネイルをテレビ受像機７の画面下から画面上の壁に向かって飛んでいくように移動表示し、その後その壁にぶつかり跳ね返されてつぶれて下に落ちるように表示する。
【００６２】
ステップＳ１０６及びステップＳ２０６により、選択された番組の遠隔制御の可否に応じて動きの異なるアニメーションを表示するため、特にステップＳ２０６について言えば、「不可」というエラー状態を「可」な場合とは異なるアニメーションを用いて表示するため、ユーザによる番組選択の操作に対する装置側での受付の可否を分かりやすく伝えることができる。
【００６３】
例えば、単なるエラーの文字表示の場合にはタブレット端末１を操作するユーザの不満感が大きいが、エラーに対応するアニメーション表示を行うことにより、その不満感を緩和することができる。また、何らかのエラーが発生した際に成功時と大きく異なる表示をするとユーザが無駄に視線移動（例えば、操作手順書等への視線移動）させてしまうが、動作情報で定義された定型的なアニメーション表示を行うことにより、そのような無駄な視線移動を低減することができる。
【００６４】
その際、成功した場合と同様に、ユーザに対して再生不可であることをより明確に伝えるため、必要に応じて、選択された再生対象番組の再生を開始できない旨やその理由を記載した文字テロップを表示したり、それらを音声出力しても構わない。
【００６５】
以上の処理を通じて、番組再生操作時におけるユーザの満足度を向上することができる。ユーザにとっては所望の番組の提供が不可であるというネガティブな情報ではあるが、たとえそのような場合であっても、ユーザにとっておもしろい反応となるようにアニメーション表示することにより、より多くのユーザに親しんでもらえるインタフェースを提供することができる。
【００６６】
尚、本実施の形態では、番組の再生が可能であるか否かを判定する処理をサーバ５で行う場合を例に説明したが、その判定処理をセットトップボックス３で行うようにしても構わない。
【００６７】
また、本実施の形態では、テレビ受像機側での動作情報をセットトップボックス３で記憶しておく場合を例に説明したが、その動作情報をサーバ５で記憶しておくようにしても構わない。その場合、「再生」に対応する動作情報をサーバ５がセットトップボックス３に送信する方法や、当該動作情報の識別子をセットトップボックス３に送信し、その識別子を用いてセットトップボックス３がサーバ５から取得する方法が考えられる。
【００６８】
尚、図３や図９、後述する図１２で示したサムネイルの動的表示は一例にすぎない。広くは、ユーザの視線をテレビ受像機７に移動させ、タブレット端末１とテレビ受像機７間の連携感を促すように表示するサムネイルの動的表示であれば構わない。例えば、渦を描きながらサムネイルがワープするように動的表示することが考えられる。また、図９や図１２の場合にあっては、サムネイルが壁で跳ね返られる代わりに、その場でつぶれたり爆発したりすることが考えられる。
【００６９】
また、動的表示の対象がサムネイルに限定される必要もなく、そのような動的表示を行うアニメーションであればよい。例えば、タップ操作により再生対象番組のサムネイルが選択された場合、そのサムネイルとは直接関係のない例えば風船の小画像を動的表示することが考えられる。
【００７０】
〔第２の実施の形態〕
第１の実施の形態では、操作結果に基づいて動作するサムネイルをテレビ受像機７で表示する例について説明した。一方、特にタブレット端末１での番組視聴や録画予約等が失敗した場合、その結果をタブレット端末１自身で表示してもよい。例えば、サーバ５やセットトップボックス３の電源が落ちていたり、そもそもＩＰ放送サービスの契約ユーザでない場合が考えられる。
【００７１】
そこで、第２の実施の形態では、そのような視聴不可の結果に基づいて動作するサムネイルをタブレット端末１の画面上で表示する場合について説明する。本実施の形態では、図１０に示すように、タブレット端末１がサーバ５からコンテンツ情報や契約ユーザ情報を予め提供され、再生等可否判定をタブレット端末１自身で行うものとする（再生等可否判定部１８、コンテンツ情報記憶部１９、契約ユーザ情報記憶部２０の追加）。
【００７２】
次に、図１１及び図１２を参照しながら、本実施の形態に係るタブレット端末１の動作を説明する。図１１は、本実施の形態に係るタブレット端末１の処理動作を示す図である。図１２は、そのタブレット端末１での画面遷移例を示す図である。
【００７３】
最初に、サーバ５で提供される番組情報を受信すると、コンテンツ情報表示制御部１２は、図１２（ａ）に示すように、その番組情報のサムネイルを画面に表示する（ステップＳ３０１）。
【００７４】
次に、いずれかのサムネイルが選択された場合、ユーザ要求処理部１３は、図１２（ｂ）に示すように、その選択された再生対象番組のサムネイルをタブレット端末１の画面上で拡大表示する（ステップＳ３０２）。
【００７５】
次に、再生等可否判定部１８は、コンテンツ情報記憶部１９から図５に示したような番組情報を読み出し、更に契約ユーザ情報記憶部２０から図６に示したような契約ユーザ情報を読み出して、選択された再生対象番組情報及びユーザ情報記憶部１６内のユーザ情報とそれら読み出した番組情報及び契約ユーザ情報とを照会することにより、選択された再生対象番組の提供の可否を判定する（ステップＳ３０３）。このとき、サーバ５との通信の可否を判定しても構わない。
【００７６】
最後に、本実施の形態では、選択された再生対象番組の提供が「不可」と判定されるため、アニメーション表示制御部１４は、動作情報記憶部１５から動作情報を読み出して、その動作情報で定義されたアニメーション表示の動作方法に基づき、選択された再生対象番組情報のサムネイルを動的表示する（ステップＳ３０４）。
【００７７】
この動作情報には、例えば、番組制御命令種別が「再生」であり、選択された再生対象番組の提供が「不可」の場合、「サムネイルを画面下端に向けてしぼむように移動表示する。」動作が定義されている。本動作例では「再生」を例としているので、図１２（ｃ）に示すように、選択されたサムネイルが下に落ちて漸次しぼんでいくように表示する。
【００７８】
その際、必要に応じて、ユーザに対して再生不可であることをより明確に認識させるため、選択された再生対象番組の再生を開始できない旨やその理由の文字テロップを表示したり、それらを音声出力しても構わない。
【００７９】
ステップＳ３０３及びステップＳ３０４により、タブレット端末１自身で選択された再生対象番組の提供の可否を判定し、「不可」の場合に自身の画面上にその旨をアニメーション表示するため、ユーザによる番組選択の操作に対する装置側での受付の不可を瞬時に分かりやすく伝えることができる。第１の実施の形態では、番組の遠隔制御の可否に応じて動きの異なるアニメーション表示をテレビ受像機７で行っていたが、第２の実施の形態を組み合わせることにより、タブレット端末１でも行うことができる。
【００８０】
最後に、各実施の形態による効果について説明する。各実施の形態によれば、タブレット端末１が、入力に応じてタブレット端末１からセットトップボックス３へユーザの視線移動を促すアニメーションを画面に表示するので、番組再生操作時におけるユーザの満足度を向上することができる。
【００８１】
また、第１の実施の形態によれば、セットトップボックス３は、更にタブレット端末１とセットトップボックス３間の連携を促す上記アニメーションを画面に表示するので、番組再生操作時におけるユーザの満足度を更に向上することができる。
【００８２】
これらにより、視聴や予約が成功した場合、成功しない場合であっても、ユーザにとって興味を抱くような表示を行うことができる。また、視聴の判定結果までの待ち時間をユーザが退屈と感じさせないような心理的効果も期待できる。特に、セットトップボックス３での応答に時間がかかるものに対してより効果的である。
【００８３】
また、各実施の形態によれば、任意の通信ネットワークを用いて遠隔制御を行うので、タブレット端末１からテレビ受像機７やセットトップボックス３までの距離や方向によらない自由な番組選択を実現することができる。
【００８４】
また、各実施の形態によれば、タブレット端末１のタップ操作を利用しているので、わかりやすくかつ操作し易い番組の選択を実現することができる。
【００８５】
また、各実施の形態によれば、タブレット端末１とサーバ５とセットトップボックス３とが双方向で通信するので、タブレット端末１の画面上に様々な情報をリアルタイムに表示することができる。
【００８６】
また、各実施の形態では、タブレット端末１を用いていることも特徴としている。タブレット端末１は、セットトップボックス３やテレビ受像機７とは物理的に遠く離れていてもリモコン装置として用いることができるため、例えば外出先での録画予約のような使い方も可能となる。
【符号の説明】
【００８７】
１…タブレット端末
１１…データ送受信部
１２…コンテンツ情報表示制御部
１３…ユーザ要求処理部
１４…アニメーション表示制御部
１５…動作情報記憶部
１６…ユーザ情報記憶部
１７…画面部
１８…再生等可否判定部
１９…コンテンツ情報記憶部
２０…契約ユーザ情報記憶部
３…セットトップボックス
３１…データ送受信部
３２…アニメーション表示制御部
３３…コンテンツ制御部
３４…動作情報記憶部
５…サーバ
５１…データ送受信部
５２…再生等可否判定部
５３…処理信号生成部
５４…コンテンツ情報記憶部
５５…契約ユーザ情報記憶部
５６…コンテンツ情報送信部
５７…コンテンツ配信部
７…テレビ受像機
７１…画面部
９…通信ネットワーク
Ｓ１０１〜Ｓ１０７、Ｓ２０１〜Ｓ２０６、Ｓ３０１〜Ｓ３０４…ステップ
【図１】
2014140104.tif 000003
【図２】
2014140104.tif 000004
【図３】
2014140104.tif 000005
【図４】
2014140104.tif 000006
【図５】
2014140104.tif 000007
【図６】
2014140104.tif 000008
【図７】
2014140104.tif 000009
【図８】
2014140104.tif 000010
【図９】
2014140104.tif 000011
【図１０】
2014140104.tif 000012
【図１１】
2014140104.tif 000013
【図１２】
2014140104.tif 000014
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
リモート端末及び受信装置とサーバとを備え、コンテンツに対する前記リモート端末での入力情報を通信ネットワークを用いて前記受信装置に命令実行させる遠隔制御システムであって、
前記リモート端末は、
前記入力情報に基づいた第１の動画像を表示する第１の表示制御手段と、
前記コンテンツの提供の可否を前記サーバへ問い合わせる問合手段と、を有し、
前記サーバは、
前記コンテンツの提供の可否を判定する判定手段と、
前記判定した可否判定結果情報を前記受信装置へ送信する送信手段と、を有し、
前記受信装置は、
前記入力情報に基づいた命令実行結果を示す第２の動画像を表示し、前記可否判定結果情報を表示する第２の表示制御手段を有し、
前記第１の動画像及び前記第２の動画像は、
連続性のある動きを示す動画像であって、前記コンテンツの提供の可否に応じて動きが異なることを特徴とする遠隔制御システム。
【請求項２】
前記第２の動画像は、
前記第１の動画像が表示された後に表示されることを特徴とする請求項１記載の遠隔制御システム。
【請求項３】
前記受信装置は、前記コンテンツの提供の可否を判定する判定手段を更に有し、
前記第２の表示制御手段は、
当該判定の結果に応じた動きの前記動画像を表示することを特徴とする請求項１又は２記載の遠隔制御システム。
【請求項４】
前記第１の表示制御手段又は前記第２の表示制御手段は、
前記コンテンツに対する操作命令の種別に応じて異なる前記動画像を表示することを特徴とする請求項１乃至３のいずれかに記載の遠隔制御システム。
【請求項５】
前記リモート端末は、当該リモート端末側における前記動画像の動きを定義した動作情報を記憶しておく記憶手段を更に有し、
前記第１の表示制御手段は、
前記コンテンツに対する操作命令の種別に応じた動作情報を当該記憶手段から読み出して、当該動作情報で定義された動きの前記動画像を表示することを特徴とする請求項４記載の遠隔制御システム。
【請求項６】
前記受信装置は、当該受信装置側における前記動画像の動きを定義した動作情報を記憶しておく記憶手段を更に有し、
前記第２の表示制御手段は、
前記リモート端末でのコンテンツに対する操作命令の種別に応じた動作情報を当該記憶手段から読み出して、当該動作情報で定義された動きの前記動画像を表示することを特徴とする請求項４又は５記載の遠隔制御システム。
【請求項７】
前記サーバは、前記受信装置側における前記動画像の動きを定義した動作情報を記憶し送信する手段を更に有し、
前記第２の表示制御手段は、
前記リモート端末でのコンテンツに対する操作命令の種別に応じた動作情報を当該サーバから受信して、当該動作情報で定義された動きの前記動画像を表示することを特徴とする請求項４又は５記載の遠隔制御システム。
【請求項８】
前記動画像は、
前記リモート端末での入力により選択されたコンテンツ情報に対応していることを特徴とする請求項１乃至７のいずれかに記載の遠隔制御システム。
【請求項９】
リモート端末及び受信装置とサーバとを備え、コンテンツに対する前記リモート端末での入力情報を通信ネットワークを用いて前記受信装置に命令実行させるシステムを動作させる遠隔制御方法であって、
前記リモート端末は、
前記入力情報に基づいた第１の動画像を表示するステップと、
前記コンテンツの提供の可否を前記サーバへ問い合わせるステップと、を有し、
前記サーバは、
前記コンテンツの提供の可否を判定するステップと、
前記判定した可否判定結果情報を前記受信装置へ送信するステップと、を有し、
前記受信装置は、
前記入力情報に基づいた命令実行結果を示す第２の動画像を表示し、前記可否判定結果情報を表示するステップを有し、
前記第１の動画像及び前記第２の動画像は、
連続性のある動きを示す動画像であって、前記コンテンツの提供の可否に応じて動きが異なることを特徴とする遠隔制御方法。
【請求項１０】
リモート端末及び受信装置とサーバとを備え、コンテンツに対する前記リモート端末での入力情報を通信ネットワークを用いて前記受信装置に命令実行させるシステムを動作させる遠隔制御プログラムであって、
前記リモート端末に、
前記入力情報に基づいた第１の動画像を表示する処理と、
前記コンテンツの提供の可否を前記サーバへ問い合わせる処理と、を実行させ、
前記サーバに、
前記コンテンツの提供の可否を判定する処理と、
前記判定した可否判定結果情報を前記受信装置へ送信する処理と、を実行させ、
前記受信装置に、
前記入力情報に基づいた命令実行結果を示す第２の動画像を表示し、前記可否判定結果情報を表示する処理を実行させ、
前記第１の動画像及び前記第２の動画像は、
連続性のある動きを示す動画像であって、前記コンテンツの提供の可否に応じて動きが異なることを特徴とする遠隔制御プログラム。
【手続補正３】
【補正対象書類名】明細書
【補正対象項目名】０００７
【補正方法】変更
【補正の内容】
【０００７】
請求項１記載の遠隔制御システムは、リモート端末及び受信装置とサーバとを備え、コンテンツに対する前記リモート端末での入力情報を通信ネットワークを用いて前記受信装置に命令実行させる遠隔制御システムであって、前記リモート端末は、前記入力情報に基づいた第１の動画像を表示する第１の表示制御手段と、前記コンテンツの提供の可否を前記サーバへ問い合わせる問合手段と、を有し、前記サーバは、前記コンテンツの提供の可否を判定する判定手段と、前記判定した可否判定結果情報を前記受信装置へ送信する送信手段と、を有し、前記受信装置は、前記入力情報に基づいた命令実行結果を示す第２の動画像を表示し、前記可否判定結果情報を表示する第２の表示制御手段を有し、前記第１の動画像及び前記第２の動画像は、連続性のある動きを示す動画像であって、前記コンテンツの提供の可否に応じて動きが異なることを要旨とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項３記載の遠隔制御システムは、請求項１又は２記載の遠隔制御システムにおいて、前記受信装置は、前記コンテンツの提供の可否を判定する判定手段を更に有し、前記第２の表示制御手段は、当該判定の結果に応じた動きの前記動画像を表示することを要旨とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項４記載の遠隔制御システムは、請求項１乃至３のいずれかに記載の遠隔制御システムにおいて、前記第１の表示制御手段又は前記第２の表示制御手段は、前記コンテンツに対する操作命令の種別に応じて異なる前記動画像を表示することを要旨とする。
【手続補正８】
【補正対象書類名】明細書
【補正対象項目名】００１４
【補正方法】変更
【補正の内容】
【００１４】
請求項５記載の遠隔制御システムは、請求項４記載の遠隔制御システムにおいて、前記リモート端末は、当該リモート端末側における前記動画像の動きを定義した動作情報を記憶しておく記憶手段を更に有し、前記第１の表示制御手段は、前記コンテンツに対する操作命令の種別に応じた動作情報を当該記憶手段から読み出して、当該動作情報で定義された動きの前記動画像を表示することを要旨とする。
【手続補正９】
【補正対象書類名】明細書
【補正対象項目名】００１５
【補正方法】変更
【補正の内容】
【００１５】
請求項６記載の遠隔制御システムは、請求項４又は５記載の遠隔制御システムにおいて、前記受信装置は、当該受信装置側における前記動画像の動きを定義した動作情報を記憶しておく記憶手段を更に有し、前記第２の表示制御手段は、前記リモート端末でのコンテンツに対する操作命令の種別に応じた動作情報を当該記憶手段から読み出して、当該動作情報で定義された動きの前記動画像を表示することを要旨とする。
【手続補正１０】
【補正対象書類名】明細書
【補正対象項目名】００１６
【補正方法】変更
【補正の内容】
【００１６】
請求項７記載の遠隔制御システムは、請求項４又は５記載の遠隔制御システムにおいて、前記サーバは、前記受信装置側における前記動画像の動きを定義した動作情報を記憶し送信する手段を更に有し、前記第２の表示制御手段は、前記リモート端末でのコンテンツに対する操作命令の種別に応じた動作情報を当該サーバから受信して、当該動作情報で定義された動きの前記動画像を表示することを要旨とする。
【手続補正１１】
【補正対象書類名】明細書
【補正対象項目名】００１７
【補正方法】変更
【補正の内容】
【００１７】
請求項８記載の遠隔制御システムは、請求項１乃至７のいずれかに記載の遠隔制御システムにおいて、前記動画像は、前記リモート端末での入力により選択されたコンテンツ情報に対応していることを要旨とする。
【手続補正１２】
【補正対象書類名】明細書
【補正対象項目名】００１８
【補正方法】変更
【補正の内容】
【００１８】
請求項９記載の遠隔制御方法は、リモート端末及び受信装置とサーバとを備え、コンテンツに対する前記リモート端末での入力情報を通信ネットワークを用いて前記受信装置に命令実行させる遠隔制御方法であって、前記リモート端末は、前記入力情報に基づいた第１の動画像を表示するステップと、前記コンテンツの提供の可否を前記サーバへ問い合わせるステップと、を有し、前記サーバは、前記コンテンツの提供の可否を判定するステップと、前記判定した可否判定結果情報を前記受信装置へ送信するステップと、を有し、前記受信装置は、前記入力情報に基づいた命令実行結果を示す第２の動画像を表示し、前記可否判定結果情報を表示するステップを有し、前記第１の動画像及び前記第２の動画像は、連続性のある動きを示す動画像であって、前記コンテンツの提供の可否に応じて動きが異なることを要旨とする。
【手続補正１３】
【補正対象書類名】明細書
【補正対象項目名】００１９
【補正方法】変更
【補正の内容】
【００１９】
請求項１０記載の遠隔制御プログラムは、リモート端末及び受信装置とサーバとを備え、コンテンツに対する前記リモート端末での入力情報を通信ネットワークを用いて前記受信装置に命令実行させる遠隔制御プログラムであって、前記リモート端末に、前記入力情報に基づいた第１の動画像を表示する処理と、前記コンテンツの提供の可否を前記サーバへ問い合わせる処理と、を実行させ、前記サーバに、前記コンテンツの提供の可否を判定する処理と、前記判定した可否判定結果情報を前記受信装置へ送信する処理と、を実行させ、前記受信装置に、前記入力情報に基づいた命令実行結果を示す第２の動画像を表示し、前記可否判定結果情報を表示する処理を実行させ、前記第１の動画像及び前記第２の動画像は、連続性のある動きを示す動画像であって、前記コンテンツの提供の可否に応じて動きが異なることを要旨とする。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】